(57)【要約】      （修正有）【課題】新しいコールドエンド技術を利用して、蛍光ランプ又はエンベロープで覆われた面負荷の高い蛍光ランプにおいて水銀蒸気圧を最適に調整する。【解決手段】ランプ管１、カソード、ステムキャップ及びワイヤを備え、カソードに接続されたワイヤは、一端がステムキャップに固定され、他端がランプ管から引き出される。ランプ管を通して連結された少なくとも一つのキャビティ管４が、少なくとも一つのランプ管の側方に配置される。キャビティ管4にはステムキャップ５およびアマルガム６が配設され、アマルガムはステムキャップ内に配置される。キャビティ管では放電がないため、キャビティ管の温度は電弧の影響を直接に受けることがなく、よって、コールドエンドを用いた水銀蒸気圧調整が可能になり、また、高出力の省エネルギーランプや周囲温度の高いランプにおいて水銀蒸気圧が大幅に減少される。【選択図】図３
2006024571.tif 000002
【特許請求の範囲】
【請求項１】
蛍光ランプであって、
少なくとも一つのランプ管と、カソードと、ステムキャップと、ワイヤとを備え、
前記カソードに接続された前記ワイヤの一端が前記ステムキャップに固定され、前記ワイヤの他端が前記ランプ管から引き出され、
少なくとも一つの前記ランプ管を通して連結された少なくとも一つのキャビティ管が、少なくとも一つの前記ランプ管の側方に配置されていることを特徴とする蛍光ランプ。
【請求項２】
前記少なくとも一つのキャビティ管にはステムキャップ及びアマルガムが配設され、このアマルガムは前記ステムキャップ内に配置されることを特徴とする請求項１に記載の蛍光ランプ。
【請求項３】
前記ステムキャップ及び前記アマルガムは前記キャビティ管の一端に配置されることを特徴とする請求項２に記載の蛍光ランプ。
【請求項４】
前記少なくとも一つのキャビティ管にはカソード、ステムキャップ、及びワイヤが配設され、前記カソードに接続された前記ワイヤは、一端が前記ステムキャップに固定されるとともに他端が前記キャビティ管から引き出されることを特徴とする請求項１に記載の蛍光ランプ。
【請求項５】
前記ステムキャップは前記キャビティ管の一端に配置されることを特徴とする請求項４に記載の蛍光ランプ。
【請求項６】
前記少なくとも一つのキャビティ管にはカソード、ステムキャップ、アマルガム、及びワイヤが配設され、前記カソードに接続された前記ワイヤは一端が前記ステムキャップに固定されるとともに他端が前記キャビティ管から引き出され、前記アマルガムは前記ステムキャップ内に配置されることを特徴とする請求項１に記載の蛍光ランプ。
【請求項７】
前記ステムキャップ及び前記アマルガムは前記キャビティ管の一端に配置されることを特徴とする請求項６に記載の蛍光ランプ。
【請求項８】
前記ランプ管の直径は６ｍｍから２５ｍｍであることを特徴とする請求項１に記載の蛍光ランプ。
【請求項９】
前記ランプ管はＵ形、Ｈ形、π形、仏陀の手形状、Ｗ形、又はＳＬ形の管であることを特徴とする請求項１に記載の蛍光ランプ。
【発明の詳細な説明】
【技術分野】
【０００１】
本発明は蛍光ランプに関するものであり、特に、新しいコールドエンド技術を利用した蛍光ランプ又はエンベロープで覆われた面負荷の高い蛍光ランプに関する。
【背景技術】
【０００２】
図１に示されるように、従来の蛍光ランプは一般に、ランプ管１、カソード２、ワイヤ３及びステムキャップ５から構成される。この種の蛍光ランプにおいては、カソードに接続されたワイヤの一端がステムキャップに固定され、他端はランプ管から引き出される。その結果、蛍光ランプの内管全体が放電空間を構成し、水銀蒸気圧は一般に管壁の最冷部で調整される。従って、（１）調整範囲が比較的狭く、基準から大幅に外れた状態になると、良好な効果を得ることができない、（２）アマルガムを用いた蛍光ランプの場合、アマルガムと管壁の最冷部の共通部分の効果に基づいて動作状態調整を行うことが困難、等の欠点がある。
【発明の開示】
【発明が解決しようとする課題】
【０００３】
本発明は、ランプ管内の水銀蒸気圧を最適に調整することが可能な蛍光ランプを提供することを目的とする。本発明による蛍光ランプは主として、面負荷の高い小型の蛍光ランプつまりエンベロープに覆われた蛍光ランプである。上記目的を達成するために、新しいコールドエンド技術がランプ管に適用される。
【課題を解決するための手段】
【０００４】
本発明は、少なくとも一つのランプ管と、カソードと、ステムキャップと、ワイヤとを含む。本発明の蛍光ランプにおいては、カソードに接続されたワイヤの一端がステムキャップにしっかりと固定されるとともに他端がランプ管から引き出される。ランプ管を通して連結された少なくとも一つのキャビティ管が、少なくとも一つのランプ管の側方に配置される。少なくとも一つのキャビティ管にはステムキャップ及び該ステムキャップ内に配置されたアマルガムを設けてもよく、ステムキャップ及びアマルガムはキャビティ管の一端に配置されることが好ましい。カソード、ステムキャップ、及びワイヤを少なくとも一つのキャビティ管に設け、カソードに接続されたワイヤの一端をステムキャップに固定するとともに他端をキャビティ管から引き出してもよく、ステムキャップはキャビティ管の一端に配置されることが好ましい。カソード、ステムキャップ、アマルガム及びワイヤを少なくとも一つのキャビティ管に設け、カソードに接続されたワイヤの一端をステムキャップに固定するとともに他端をキャビティ管から引き出し、アマルガムをステムキャップ内に配置してもよく、ステムキャップ及びアマルガムはキャビティ管の一端に配置されることが好ましい。
【０００５】
本発明の蛍光ランプの構造は、様々な直径及び形状のランプ管に適用することができ、例えば、一般的な６ｍｍから２５ｍｍの直径を有し、円筒形、Ｕ形、Ｈ形、π形、仏陀の手形状、Ｗ形、ＳＬ形等、様々な形状を有する蛍光ランプに適用される。
【０００６】
本発明には以下の利点がある。（１）追加されたキャビティ管では放電がないため、キャビティ管の温度は電弧の影響を直接に受けることがなく、よって、コールドエンドを用いた実質的な水銀蒸気圧調整が行われ、また、高出力の省エネルギーランプや周囲温度の高いランプにおいて水銀蒸気圧が大幅に減少される。（２）キャビティ管の長さ及び／又は位置を調整することにより、動作状態に応じてランプ管内の水銀蒸気圧を効果的に変化させることができる。（３）ランプ管にアマルガムを設ける必要がある場合、最冷部にアマルガムを配置することにより、調整作用が容易且つ効果的になり、また、補助カソードを選択的に追加することにより、ランプを作動させたときに良好な光束が速やかに形成される。（４）ランプ動作中に生成される光束出力に有害な材料がキャビティ管のコールドエンドに集められるため、ランプ管の耐用年数が延びる。
【０００７】
本発明の種々の目的及び利点は、添付図面を参照して以下の詳細な説明をお読み頂ければ、より容易に理解されるであろう。
【発明を実施するための最良の形態】
【０００８】
（実施例１）
図１及び図２を参照頂きたい。本発明の実施例１では、図１に示される従来の小型蛍光ランプを基礎として、ランプ管１の側方に平行なキャビティ管４が設けられている。キャビティ管４は、ランプ管１より短いがランプ管１と同一の直径を有しており、ランプ管１に連結されている。ランプ管１には例えば少なくとも一つのＵ形ランプ管が用いられる。
【０００９】
（実施例２）
図３を参照すると、本実施例は、ランプ管１に連結されたキャビティ管４の一端にステムキャップ５が設けられ、ステムキャップ５内にアマルガム６が配置されている点を除いては、実施例１と同様の構成である。
【００１０】
（実施例３）
図４を参照すると、本実施例は以下の点を除き、実施例２と同様の構成である。本実施例では、ステムキャップ５にカソード２（加熱フィラメント等が用いられる）が設けられ、カソード２（加熱フィラメント）に接続されたワイヤ３の一端がステムキャップ５に固定されるとともに他端がランプ管１に連結されたキャビティ管４から引き出され、ステムキャップ５及び該ステムキャップ５内に配置されたアマルガム６がキャビティ管４の一端に配置されている。
【００１１】
（実施例４）
図５を参照すると、本実施例は、ステムキャップ５にアマルガムが設けられていない点を除いて、実施例３と同様の構成である。ランプ管１はキャビティ管４に連結され、ステムキャップにはカソード２が設けられている。
【００１２】
（実施例５）
図６から図８を参照すると、本実施例は、Ｗ形のランプ管９が用いられている点を除いては、実施例１と同様の構成である。また、ランプ管の側方に連結されたキャビティ管の直径は、ランプ管の直径より小さい。
【００１３】
（実施例６）
図９から図１１を参照すると、本実施例は、ＳＬ形のランプ管１０が用いられている点を除いては実施例２と同様の構成である。
【００１４】
（実施例７）
図１２から図１４を参照すると、本実施例は、２π形のランプ管１１が用いられている点を除いては実施例３と同様の構成である。
【００１５】
（実施例８）
本実施例は、Ｈ形又は仏陀の手形状のランプ管が用いられる点を除いては実施例４と同様の構成である。
【００１６】
本明細書において説明された実施形態は限定を意図するものではなく、そのように判断されるべきものではない。本発明の趣旨及び本質的な特徴を逸脱しないような変更又は実施形態は、付記される請求項の広さ及び範囲内において、特に留保されるものとする。  
【図面の簡単な説明】
【００１７】
【図１】従来の小型蛍光ランプの概略図。
【図２】本発明の実施例１の概略図。
【図３】本発明の実施例２の概略図。
【図４】本発明の実施例３の概略図。
【図５】本発明の実施例４の概略図。
【図６】本発明の実施例５によるＷ形ランプ管の概略図。
【図７】図６の左側面図。
【図８】図６の平面図。
【図９】本発明の実施例６によるＳＬ形ランプ管の概略図。
【図１０】図９の左側面図。
【図１１】図９の平面図。
【図１２】本発明の実施例７による２π形ランプ管の概略図。
【図１３】図１２の左側面図。
【図１４】図１２の平面図。
【符号の説明】
【００１８】
１  ランプ管
２  カソード
３  ワイヤ
４  キャビティ管
５  ステムキャップ
６  アマルガム
【図１】
2006024571.tif 000003
【図２】
2006024571.tif 000004
【図３】
2006024571.tif 000005
【図４】
2006024571.tif 000006
【図５】
2006024571.tif 000007
【図６】
2006024571.tif 000008
【図７】
2006024571.tif 000009
【図８】
2006024571.tif 000010
【図９】
2006024571.tif 000011
【図１０】
2006024571.tif 000012
【図１１】
2006024571.tif 000013
【図１２】
2006024571.tif 000014
【図１３】
2006024571.tif 000015
【図１４】
2006024571.tif 000016